(57)【要約】      （修正有）【課題】  遊技機島の高さを低く抑えることができ、装置の保守点検が容易であり、搬送経路内での遊技媒体の搬送流を制御し、強制的に補給シュートに遊技媒体を供給する水平搬送装置を提供する。【解決手段】  ガイド部材(9)は、搬送経路(7)への取り付け部を有する上面と、下面に還流遊技媒体ガイド壁(92)に臨む開口と、該下面の内側に前記開口の両端から非平行な両側面と短尺な平行壁(95)に架けて形成された切り欠き凹部(96)を設けるとともに、前記切り欠き凹部に該切り欠き凹部の内部天井から短尺な平行壁の内壁下端に掛けて下流方向に傾斜した反発壁を形成し、前記搬送経路内に、前記還流前記搬送遊技媒体分流壁と還流遊技媒体分流壁との接続部を前記回転ディスク(8)の中心近傍に、側方向ガイド壁(93)を回転ディスクの外周近傍の水平中心線より下流方向で搬送経路の側壁方向に対向するようにして、前記回転ディスク上面の上方に離間して配設したものである。【選択図】図３
2007268228.tif 000002
【特許請求の範囲】
【請求項１】
間隔をおいて形成された複数の嵌合凹部を有する搬送路と前記搬送路の側部に立設された側壁とを有する搬送経路と、前記嵌合凹部に配設された複数の回転ディスクと、長尺な平行壁と短尺な平行壁と、非平行な側壁の一方に搬送遊技媒体分流壁と還流遊技媒体分流壁を形成するとともに、他方の側壁に上流方向に拡開した側方向ガイド壁を設け、前記回転ディスク上方に長尺な平行壁と搬送遊技媒体分流壁を搬送経路の上流に向けて配設した略台形状のガイド部材と、該回転ディスクの駆動装置とを備え、前記回転ディスクの回転とガイド部材により遊技媒体を制御搬送した水平搬送装置において、
前記ガイド部材は、搬送経路への取り付け部を有する上面と、
下面に還流遊技媒体ガイド壁に臨む開口と、該下面の内側に前記開口の両端から非平行な両側面と短尺な平行壁に架けて形成された切り欠き凹部を設けるとともに、前記切り欠き凹部に該切り欠き凹部の内部天井から短尺な平行壁の内壁下端に掛けて下流方向に傾斜した反発壁を形成し、
前記搬送経路内に、前記還流前記搬送遊技媒体分流壁と還流遊技媒体分流壁との接続部を前記回転ディスクの中心近傍に、側方向ガイド壁を回転ディスクの外周近傍の水平中心線より下流方向で搬送経路の側壁方向に対向するようにして、前記回転ディスク上面の上方に離間して配設した
ことを特徴とする、水平搬送装置。
【請求項２】
前記切り欠き凹部の内部天井から搬送遊技媒体分流壁と側方向ガイド壁の各々その下端面内側に掛けて下流方向に傾斜した副反発壁を形成した
ことを特徴とする、請求項１項記載の水平搬送装置。
【発明の詳細な説明】
【技術分野】
【０００１】  本発明は、回転ディスクの回転により遊技媒体を水平方向に搬送することによって、遊技媒体を遊技機島に配設された遊技機や遊技媒体貸機に供給するための水平搬送装置に関する。
【背景技術】
【０００２】  一般的に、遊技機島に配設されている遊技機や遊技媒体貸機に遊技媒体を搬送するための搬送装置は、遊技機島の上方に配置された補給タンクから遊技機島の島端にかけて傾斜して架設されていて、補給タンクから供給された遊技媒体を傾斜した補給経路の内部を上流から下流方向に下るようにして搬送しその搬送過程で、補給タンクから補給経路内に供給された遊技媒体を各々の遊技機や遊技媒体貸機に供給していた。しかしながら、このように遊技機島の上部に傾斜して架設された補給経路を有する搬送装置では、遊技機島の上部が高く、しかも大きくなる傾向にあった。この傾向は、遊技媒体の供給量を多くするほど、また、遊技機島が長く、それに伴って補給経路が長くなるほど顕著に現れる傾向にある。このため、不正防止や防犯のために店内に設置した防犯カメラの視界が遊技機島によって阻害される恐れや、遊技機島によって店内で影の部分が多くなり遊技場の照明が必要以上に多くなる等の問題点があるばかりか、遊技場の内装設備等の設計自由度が阻害される恐れがあった。【０００３】  このため、それらの問題点を解決するために、特許第２５１８４９０号（特許文献１）のように、遊技媒体を水平に搬送した構成が開示されている。この構成は、固定経路部を流下してきたパチンコ玉を、駆動ローラ２２（特許文献１中の符号）と、従動ローラ２３（特許文献１中の符号）と、その間に掛け渡された水平搬送ベルト２１（特許文献１中の符号）とを備えた搬送装置を駆動モータ２６（特許文献１中の符号）によって回転駆動させることによってパチンコ玉を水平方向に搬送するものであった。【０００４】  そして、この特許文献１に開示されている搬送装置では、補給経路１０（特許文献１中の符号）の側部に設けられた分離器４１（特許文献１中の符号）と、この分離器４１に隣設された膨出側壁４４（特許文献１中の符号）によって、水平搬送ベルト２１（特許文献１中の符号）で送られてきたパチンコ玉を振り分けることによって、パチンコ玉をパチンコ機２（特許文献１中の符号）に供給していた。【０００５】  この出願の発明に関連する先行技術文献としては次のものがある。
【特許文献１】      特許第２５１８４９０号（特開平６−３９１３６）
【特許文献２】      特開２００５−１２５０２９号
【発明の開示】
【発明が解決しようとする課題】
【０００６】  しかしながら、このような水平搬送ベルト２１（特許文献１中の符号）によってパチンコ玉を水平方向に搬送する搬送構造は、遊技機島の上部に傾斜して架設された搬送装置によってもたらされる遊技機島の上部が高く、且つ、大きくなること、また、遊技機島が防犯カメラの視界の障害となること、遊技場の内装設備等の設計自由度を阻害すること等の問題点は解消されるが、水平搬送ベルト２１（特許文献１中の符号）に不都合が生じた場合にはベルト自体を停止させて修理する、すなわち搬送を中断する必要や、ベルトを張設する部品であるテンションローラ２４（特許文献１中の符号）やベルト支持部材２５（特許文献１中の符号）が必要となり、装置の保守点検が容易でない場合や、部品点数が増加してコストアップの要因となる恐れがあった。更に、水平搬送ベルト２１は、駆動ローラ２２（特許文献１中符号）と従動ローラ２３との間に無端状態で掛け渡されているため、パチンコ玉の搬送を水平搬送ベルト２１（特許文献１中符号）の上側面を使用して行うにも係わらず装置としては、下側面も必須の構成要件となり、搬送装置としては、その分を加味した上下方向のスペースが必要であり、遊技機島の上部の高さを低くするには限度があった。【０００７】  更に、パチンコ玉を水平搬送ベルト２１（特許文献１中符号）で水平に搬送して、補給経路１０（特許文献１中の符号）の側部に形成された玉待機経路部４０（特許文献１中の符号）に運搬した後に膨出側壁４４（特許文献１中符号）で分離器４１（特許文献１中符号）に振り分ける流れであり、そして、この分離器４１（特許文１献中符号）への振り分けは、後から搬送されてくるパチンコ玉の押圧力によってなされるものであるからパチンコ機２（特許文献１中の符号）の補給要求に対して機敏に対応することが困難であった。【０００８】  これらの問題点を解消するために、出願人は、先に搬送路に間隔をおいて並設された複数の回転ディスクを用いて遊技媒体を水平搬送する構成を開発し出願している。（特開２００５−１２５０２９号公報）。出願人は、この出願で遊技媒体を回転ディスクの回転により水平方向に搬送するとともに、回転ディスクの上面に対して若干の隙間を空けて対向配置した略台形状のガイドによって遊技媒体の搬送流を制御して遊技媒体を効率的に補助シュートに供給していた。しかしながら、図５（Ｂ）に示すように、ガイドａの側面ｂに遊技媒体ｃが面直に当接すると、遊技媒体ｃは、その位置で矢印ｄ方向に回転し、この回転モーメントＦは、回転ディスクｅ方向に作用して遊技媒体ｃをガイドａの側面ｂから離さないような現象が生じる場合があった。この現象が高じると次々に遊技媒体がその近傍に一時的に滞留して遊技媒体がスムースに流れなくなり、遊技媒体の流量を減少させる恐れがあった、
本発明は、上記の問題を解決するためになされたものであり、その目的は、遊技機島の高さを低く抑えることができ、しかも装置の保守点検が容易であり、更に、部品点数が少なく、コスト的に有利であるばかりか、搬送経路内での遊技媒体の搬送流を制御し、遊技媒体が一時的に滞留することなく遊技媒体がスムースに流れ、流量の減少が生じることも少なく、しかも強制的に補給シュートに遊技媒体を供給することによって、遊技媒体の搬送効率を向上させることが可能な水平搬送装置を提供するものである。
【課題を解決するための手段】
【０００９】  上記課題を解決するため、本発明においては、間隔をおいて形成された複数の嵌合凹部を有する搬送路と前記搬送路の側部に立設された側壁とを有する搬送経路と、前記嵌合凹部に配設された複数の回転ディスクと、長尺な平行壁と短尺な平行壁と、非平行な側壁の一方に搬送遊技媒体分流壁と還流遊技媒体分流壁を形成するとともに、他方の側壁に上流方向に拡開した側方向ガイド壁を設け、前記回転ディスク上方に長尺な平行壁と搬送遊技媒体分流壁を搬送経路の上流に向けて配設した略台形状のガイド部材と、該回転ディスクの駆動装置とを備え、前記回転ディスクの回転とガイド部材により遊技媒体を制御搬送した水平搬送装置において、前記ガイド部材は、搬送経路への取り付け部を有する上面と、下面に還流遊技媒体ガイド壁に臨む開口と、該下面の内側に前記開口の両端から非平行な両側面と短尺な平行壁に架けて形成された切り欠き凹部を設けるとともに、前記切り欠き凹部に該切り欠き凹部の内部天井から短尺な平行壁の内壁下端に掛けて下流方向に傾斜した反発壁を形成し、前記搬送経路内に前記還流前記搬送遊技媒体分流壁と還流遊技媒体分流壁との接続部を前記回転ディスクの中心近傍に、側方向ガイド壁を回転ディスクの外周近傍の水平中心線より下流方向で搬送経路の側壁方向に対向するようにして、前記回転ディスク上面の上方に離間して配設したことを特徴とするものである。【００１０】  このことにより、水平搬送装置の搬送経路を下流方向に搬送される遊技媒体がガイド部材に当接した場合、ガイド部材に形成されている搬送遊技媒体分流壁と短尺な平行壁と側方向ガイド壁により搬送流が制御され遊技媒体を補給シュートに送り込むとともに、還流された遊技媒体が切り欠き凹部内に搬送され、反発壁に当接された場合に、この反発壁が下流側端面から内方（上流側）方向に上り傾斜で形成されているため、遊技媒体を回転ディスクの回転によって押し付けられた方向と反対方向に反発させ、遊技媒体をガイド部材から離間させて、遊技媒体を下流方向に搬送する搬送流に合流させる。このことによって、遊技媒体がガイド部材の当接面近傍に一時的に滞留して遊技媒体がスムースに流れなくなり、遊技媒体の流量を減少させる恐れが少なく、遊技媒体を効率的に遊技機や遊技媒体貸機に供給することができる。【００１１】  次の発明は、前記切り欠き凹部の内部天井から搬送遊技媒体分流壁と側方向ガイド壁の各々その下端面内側に掛けて下流方向に傾斜した副反発壁を形成したものである。【００１２】  このことにより、切り欠き凹部の中に搬送された遊技媒体の内、搬送遊技媒体分流壁と還流遊技媒体分流壁の内側に当接した遊技媒体をその部分に滞留させることなく、ガイド部材から離間させて、遊技媒体を下流方向に搬送する搬送流に合流させる。このことによって、遊技媒体がガイド部材の壁面に当接一時滞留した結果生じるであろう遊技媒体の流量を減少させる恐れを解消することができる。
【発明の効果】
【００１３】  以上のように、本発明によれば、間隔をおいて形成された複数の嵌合凹部を有する搬送路と前記搬送路の側部に立設された側壁とを有する搬送経路と、前記嵌合凹部に配設された複数の回転ディスクと、長尺な平行壁と短尺な平行壁と、非平行な側壁の一方に搬送遊技媒体分流壁と還流遊技媒体分流壁を形成するとともに、他方の側壁に上流方向に拡開した側方向ガイド壁９３を設け、前記回転ディスク上方に長尺な平行壁と搬送遊技媒体分流壁を搬送経路の上流に向けて配設した略台形状のガイド部材と、該回転ディスクの駆動装置とを備え、前記回転ディスクの回転とガイド部材により遊技媒体を制御搬送した水平搬送装置において、前記ガイド部材は、搬送経路への取り付け部を有する上面と、下面に還流遊技媒体ガイド壁に臨む開口と、該下面の内側に前記開口の両端から非平行な両側面と短尺な平行壁に架けて形成された切り欠き凹部を設けるとともに、前記切り欠き凹部に該切り欠き凹部の内部天井から短尺な平行壁の内壁下端に掛けて下流方向に傾斜した反発壁を形成し、前記搬送経路内に、前記搬送遊技媒体分流壁と還流遊技媒体分流壁との接続部を前記回転ディスクの中心近傍に側方向ガイド壁を回転ディスクの外周近傍の水平中心線より下流方向で搬送経路の側壁方向に対向するようにして、前記回転ディスク上面の上方に離間して配設することによって、遊技機島の高さを低く抑えることができ、しかも装置の保守点検が容易であり、更に、部品点数が少なく、コスト的に有利であるばかりか、搬送経路内での遊技媒体の搬送流を制御し、遊技媒体の流量を減少させる恐れもなく、しかも強制的に補給シュートに遊技媒体を供給することによって、遊技媒体の搬送効率を向上させることが可能な水平搬送装置を提供することができる。
【発明を実施するための最良の形態】
【００１４】  以下、本発明を実施するための最良の形態を、図面に基づいて説明する。図１は、本発明の水平搬送装置の遊技機島への取り付け状態を示した斜視図である。図２は、本発明の水平搬送装置の要部斜視図である。図３は、本発明のガイド部材を示した斜視図である。図４は、本発明のガイド部材を下方から見た斜視図である。図５は、遊技媒体とガイド部材との押圧関係を示した説明図であり、（Ａ）は、本発明に係る説明図、（Ｂ）は、従来に係る説明図である。【００１５】  本発明の水平搬送装置１は、図１に示すように、遊技機２と遊技媒体貸機３を交互に配置した遊技機列の上部に水平に架設されており、この遊技機列の端部に配設された供給タンク５から供給された遊技媒体４（図２参照）を遊技機列の下流側端部に水平搬送している。そして、その搬送の過程で遊技媒体４を遊技機２や遊技媒体貸機３等に供給している。本実施例では、水平搬送装置１で遊技媒体４を搬送し、その搬送の間に補給シュート６を介して遊技機２に供給する構造を用いている。【００１６】  水平搬送装置１を構成する搬送経路７は、図２に示すように、回転ディスク８を嵌合配設するために間隔をおいて形成された複数の嵌合凹部７２を有する合成樹脂製（ポリアセタール，ＡＢＳ，ＰＰ、ポリアミド、高分子ポリエチレン、ポリカーボネイト等）の搬送路７１と、該搬送路７１の両側側部に立設された側壁７３とを備え、上方に開放された断面凹形状をなしている。この搬送経路７の開放された部分には、上蓋７５が着脱可能に取り付けられている。そして、遊技媒体４は、この搬送経路７内を上流（供給タンク５側）から下流（遊技機列の端部）に搬送される。
そして、この搬送経路７の側部には、排出通路７４で搬送経路７に連通されている補給シュート６が配設されている。【００１７】  回転ディスク８は、合成樹脂（ポリアセタール，ＡＢＳ，ＰＰ、ポリアミド、高分子ポリエチレン、ポリカーボネイト等）によって、円盤状に成型され、前述の嵌合凹部７２に嵌合され、駆動装置（図示しない）によって回転駆動される。実施例では、図２に矢印Ｒで示す方向（反時計回り）に回転する。【００１８】  ガイド部材９は、回転ディスク８の上方に離間した状態で配置されている。例えば、上蓋７５にスクリュー７５ａで固定され、回転ディスク８の上面と若干の隙間を空けて配設されている。このガイド部材９は、回転ディスク８の遠心力で搬送された遊技媒体４を補給シュート６方向に案内する機能と還流した遊技媒体４を再度下流に搬送する機能とを有している。【００１９】  以下、ガイド部材９の配置、構成ならびに遊技媒体４の搬送過程の流れについて図２ないし図５に基づいて詳述する。ガイド部材９は、合成樹脂で略台形ブロック体に成型され、長尺な平行壁（以下、還流遊技媒体ガイド壁９２と言う）と短尺な平行壁（以下、前方向ガイド壁９５と言う）と、非平行な側壁の一方に搬送遊技媒体分流壁９１と還流遊技媒体分流壁９２を形成するとともに、他方の側壁に上流方向に拡開した側方向ガイド壁９３を設け、平行な二つの平行壁のうち還流遊技媒体ガイド壁９２を上流（上流、下流とは、水平搬送装置１を遊技機島１００に架設した状態で供給タンク５側を上流、島の端末側を下流とする。）に向けて搬送経路７の内部に配設されている。この配設されている位置は、回転ディスク８の回転中心を通る縦方向中心線Ｈ−Ｈと横方向中心線Ｓ−Ｓで４分割された第一象限（横方向中心線Ｓ−Ｓの下流側で搬送方向左側、以下、時計回りで第二象限、第三象限、第四象限とする）の範囲で、回転ディスク８の上面から僅かに離間して対向して配設されている。この実施例では、搬送経路７を覆っている上蓋７５にスクリュー７５ａで固定されている。従って、供給タンク５から搬送経路７に投入された遊技媒体４は、回転ディスク８の回転により第三象限、第二象限上を流れる主搬送流ＭＦと第四象限、第一象限上を流れ、ガイド部材９によって、直接、間接に制御される制御搬送流（ＣＦ１、ＣＦ２・・・）に大きく分類される。【００２０】  ガイド部材９は、前述の還流遊技媒体ガイド壁９４と搬送遊技媒体分流壁９１と還流遊技媒体分流壁９２ならびに前方向ガイド壁９５と側方向ガイド壁９３と上蓋７５へ固定される上面９７と回転ディスク８に対向する下面９８を有した略台形ブロック体に合成樹脂で一体成型されている。そして、その略台形ブロック体の非平行な側壁面の内、一方の側壁面を三角状に突出さして、搬送経路７の下流側に面する搬送遊技媒体分流壁９１と上流側に面する還流遊技媒体分流壁９２とを各々形成している。一方、他方の側壁面には、上流方向に拡開して傾斜している側方向ガイド壁９３が形成されている。【００２１】この搬送遊技媒体分流壁９１は、回転ディスク８の回転によって主搬送流ＭＦから第一象限上に搬送された遊技媒体４を前方向ガイド壁９５方向に制御してガイド制御搬送流ＣＦ１を形成する。【００���２】  還流遊技媒体分流壁９２は、先端で搬送遊技媒体分流壁９１と接続され、ガイド部材９の非平行な一方の側壁面に三角形状をなすようにして形成されている。そして、ガイド制御搬送流ＣＦ１によって制御された遊技媒体４を前方向ガイド壁９５に搬送して、遊技媒体４の前方制御搬送流ＣＦ２として搬送流を形成した後に、側方制御搬送流ＣＦ３となり側方向ガイド壁９３に沿って流れる。そして、その遊技媒体４の一部は、回転ディスク８の回転に連れてながれて還流遊技媒体分流壁９２に当接して還流制御搬送流ＣＦ４となって、その後、主搬送流ＭＦに合流する。尚、他の遊技媒体４は、補給シュート６に供給される搬出流ＣＦ６と下流に流れる前方流ＣＦ７として形成される。また、前述の還流制御搬送流ＣＦ４には、一端下流の回転ディスク８に搬送された後に該回転ディスク８の回転につれて上流に戻された返送制御搬送流ＣＦ５も含まれる。【００２３】  前述のガイド部材９の上流側に面している長尺な平行壁である還流遊技媒体ガイド壁９４は、主に回転ディスク８の回転によって下流に搬送された遊技媒体４の内、完全に下流に搬送されずに回転ディスク８の回転とともに上流に還流された遊技媒体４や下流の回転ディスク８によって再度上流の回転ディスク８上に還流された遊技媒体４を制御する壁面である。一方、短尺な平行壁である前方向ガイド壁９５は、主に回転ディスク８の回転とともに上流に還流されようとする遊技媒体４を側方向ガイド壁９３方向に流す前方制御搬送流ＣＦ２を制御する壁面である。また、非平行な側壁の一方に形成された搬送遊技媒体分流壁９１は、供給タンク５から搬送経路７に投入された遊技媒体４を還流遊技媒体分流壁９２に案内し、還流遊技媒体分流壁９２は、その遊技媒体４を他方の側壁に上流方向に拡開した側方向ガイド壁９３に案内する。【００２４】  一方、本発明のガイド部材９の下面９８には、搬送遊技媒体分流壁９１の略半分と還流遊技媒体分流壁９２と前方向ガイド壁９５ならびに側方向ガイド壁９３を周壁とするとともに還流遊技媒体ガイド壁９４と搬送遊技媒体分流壁９１の略半分に渡る開口９６ｅと開口９６ｆを有する伏皿形状の切り欠き凹部９６が形成されている。すなわち、この開口９６ｅと開口９６ｆとは環流遊技媒体ガイド壁９４と搬送遊技媒体分流壁９１側で接続されている。そして、該切り欠き凹部９６の内部天井９６ｄから短尺な平行壁である前方向ガイド壁９５の内壁下端に掛けて下流方向に傾斜した反発壁９６ａが形成されている。さらに、該切り欠き凹部の内部天井９６ｄから搬送遊技媒体分流壁９１と側方向ガイド壁９３の内壁下端に掛けて傾斜した副反発壁９６ｂと副反発壁９６ｃとが各々設けられている。【００２５】  前述のガイド部材９は、上流側に面している環流遊技媒体ガイド壁９４に開口９６ｅを形成するとともに、搬送遊技媒体分流壁９１の中程に掛けて開口９６ｆを形成している。そして、それらの開口９６ｅと開口９６ｆを環流遊技媒体ガイド壁９４から上流方向に臨ませて遊技媒体４の出入口を構成している。また、この上流側に臨んでいる開口９６ｅの間口の高さは、遊技媒体４が通過することが可能な高さまで環流遊技媒体ガイド壁９４の下端面を切除して形成されている。一方、��方側の開口９６ｆも同様に、搬送遊技媒体分流壁９１の中程まで搬送遊技媒体分流壁９１の下端面を切除して形成されている。そして、その高さは、上流側の開口９６ｅの間口と同一高さに設定されている。一方、側方側の開口９６ｆの端部は、前方向ガイド壁９５の下端面内側まで傾斜して副反発壁９６ｂの一端辺を形成されている。従って、切り欠き凹部９６の出入口を形成している開口９６ｅと開口９６ｆを除いた三壁面には、反発壁９６ａと二つの副反発壁９６ｂ、副反発壁９６ｃが形成されている。そして、これらの壁面は、いずれも切り欠き凹部９６の天井９６ｄの端から各々搬送遊技媒体分流壁９１と側方向ガイド壁９３並びに前方向ガイド壁９５の下端内側方向に拡開した傾斜面に形成されている。尚、実施例では、この傾斜をいずれも４５度傾斜に設定している。【００２６】  次に、遊技媒体４と切り欠き凹部９６との関係について説明する。切り欠き凹部９６の開口９６ｅ（ガイド部材９の還流遊技媒体ガイド壁９４側）から流れ込む遊技媒体４は、主に、還流された遊技媒体４（回転ディスク８に連れ回り再度回転ディスク８の上流側に戻ってきたもの：ＣＦ４、或いは一旦下流の回転ディスク８に搬送されたが該回転ディスク８の回転で上流の回転ディスク８に戻されたもの：ＣＦ５、または、搬送経路７の下流で遊技媒体が一時滞留して遊技媒体が上流の回転ディスク８まで増加してきたもの、あるいは、それらの複合されたものを言う。）である。これらの遊技媒体４は、従来では、図５（ｂ）に示すように、遊技媒体ｃがガイドａの側面ｂに面直に押圧され、その場で回転して、ガイドａの側面ｂから離れないが、本発明の場合には、図５（ａ）に示すように、遊技媒体４が、ガイド部材９の切り欠き凹部９６に入り込み反発壁９６ａ（副反発壁９６ｂ、副反発壁９６ｃ）に当接すると、回転ディスク８の回転によって遊技媒体４に与えられた回転力が反発壁９６ａ（副反発壁９６ｂ、副反発壁９６ｄ）の傾斜面に加わり接線方向のモーメントＦを与える。そして、このモーメントＦは、Ｆ１，Ｆ２の分力に分解される。この分力の内、ガイド部材９を押し付ける方向の分力Ｆ１の反力が遊技媒体４をガイド部材９から離反させる力として作用して遊技媒体４を還流制御搬送流ＣＦ４（図２Ｐ）に押し返し合流させる。この合流によって遊技媒体４は、再度、主搬送流ＭＦ、搬出流ＣＦ６、前方流ＣＦ７などの流れにのって搬送経路７の内部を下流、あるいは補給シュート６方向に搬送される。また、切り欠き凹部９６の内部で側方に押し返された遊技媒体４は、側方側の開口９６ｆから流れ、還流制御搬送流ＣＦ４に合流される。
【図面の簡単な説明】
【００２７】
【図１】本発明の水平搬送装置の遊技機島への取り付け状態を示した斜視図である。
【図２】本発明の水平搬送装置の要部斜視図である。
【図３】本発明のガイド部材を示した斜視図である。
【図４】本発明のガイド部材を下方から見た斜視図である。
【図５】遊技媒体とガイド部材との押圧関係を示した説明図であり、（Ａ）は、本発明に係る説明図、（Ｂ）は、従来に係る説明図である。
【符号の説明】
【００２８】１００  遊技機島
１  水平搬送装置
２  遊技機
３  遊技媒体貸機
４  遊技媒体
５  供給タンク
６  補給シュート
７  搬送経路
７１  搬送路
７２  嵌合凹部
７３  側壁
７４  排出通路
７５  上蓋
７５ａ  スクリュー
８  回転ディスク
９  ガイド部材
９１  搬送遊技媒体分流壁
９２  還流遊技媒体分流壁
９３  側方向ガイド壁
９４  還流遊技媒体ガイド壁
９５  前方向ガイド壁
９６  切り欠き凹部
９６ａ  反発壁
９６ｂ  （搬送遊技媒体分流壁側）副反発壁
９６ｃ  （側方向ガイド壁側）副反発壁
９６ｄ  天井
９６ｅ  （上流側）開口
９６ｆ  （側方側）開口
９７  上面
９８  下面
ＭＦ  主搬送流
ＣＦ１  ガイド制御搬送流
ＣＦ２  前方制御搬送流
ＣＦ３  側方制御搬送流
ＣＦ４  還流制御搬送流
ＣＦ５  返送制御搬送流
ＣＦ６  搬出流
ＣＦ７  前方流
Ｒ  回転ディスクの回転方向
Ｈ−Ｈ  縦方向中心線
Ｓ−Ｓ  横方向中心線
【図１】
2007268228.tif 000003
【図２】
2007268228.tif 000004
【図３】
2007268228.tif 000005
【図４】
2007268228.tif 000006
【図５】
2007268228.tif 000007